(57)【特許請求の範囲】
【請求項１】
居室空間の上側に天井材を介して密閉状に画成された天井裏空間に設置された空調機を備え、前記空調機からの空調空気により冷却又は加温された前記天井材からの放射により前記居室空間の冷暖房を行う放射冷暖房システムにおいて、
前記居室空間の温度を検出する居室温度検出手段と、
前記天井裏空間から前記空調機への吸込温度を検出する吸込温度検出手段と、
前記空調機の駆動を制御する制御手段と、
を備え、
前記制御手段は、暖房時において、
前記居室温度検出手段により検出される居室温度が居室温度の設定値より低く、かつ前記吸込温度検出手段により検出される吸込温度が吸込温度の設定値より低い場合は前記空調機の暖房の出力をＯＮ又は増大させる処理と、
前記居室温度が前記居室温度の設定値以上である場合、及び前記居室温度が前記居室温度の設定値より低く、かつ前記吸込温度が前記吸込温度の設定値以上である場合は前記空調機の暖房の出力をＯＦＦ又は減少させる処理と、
を有する、
ことを特徴とする放射冷暖房システム。
【請求項２】
居室空間の上側に天井材を介して密閉状に画成された天井裏空間に設置された空調機を備え、前記空調機からの空調空気により冷却又は加温された前記天井材からの放射により前記居室空間の冷暖房を行う放射冷暖房システムにおいて、
前記居室空間の温度を検出する居室温度検出手段と、
前記天井裏空間から前記空調機への吸込温度を検出する吸込温度検出手段と、
前記空調機の駆動を制御する制御手段と、
を備え、
前記制御手段は、冷房時において、
前記居室温度検出手段により検出される居室温度が居室温度の設定値より高く、かつ前記吸込温度検出手段により検出される吸込温度が吸込温度の設定値より高い場合は前記空調機の冷房の出力をＯＮ又は増大させる処理と、
前記居室温度が前記居室温度の設定値以下である場合、及び前記居室温度が前記居室温度の設定値より高く、かつ前記吸込温度が前記吸込温度の設定値以下である場合は前記空調機の冷房の出力をＯＦＦ又は減少させる処理と、
を有する、
ことを特徴とする放射冷暖房システム。
【請求項３】
前記空調機の噴き出し口から延びるダクトが下向きに開口され、空調空気を天井材の上面に噴き付けることを特徴とする請求項１又は２に記載の放射冷暖房システム。
【請求項４】
居室空間の上側に天井材を介して密閉状に画成された天井裏空間に設置された空調機からの空調空気により前記天井材を冷却又は加温して、前記天井材からの放射により前記居室空間の冷暖房を行う放射冷暖房方法において、
暖房時において、
居室温度検出手段により検出される居室温度が居室温度の設定値より低く、かつ吸込温度検出手段により検出される前記天井裏空間から前記空調機への吸込温度が吸込温度の設定値より低い場合は前記空調機の暖房の出力をＯＮ又は増大させ、
前記居室温度が前記居室温度の設定値以上である場合、及び前記居室温度が前記居室温度の設定値より低く、かつ前記吸込温度が前記吸込温度の設定値以上である場合は前記空調機の暖房の出力をＯＦＦ又は減少させるように、
前記空調機の駆動を制御する、
ことを特徴とする放射冷暖房方法。
【請求項５】
居室空間の上側に天井材を介して密閉状に画成された天井裏空間に設置された空調機からの空調空気により前記天井材を冷却又は加温して、前記天井材からの放射により前記居室空間の冷暖房を行う放射冷暖房方法において、
冷房時において、
居室温度検出手段により検出される居室温度が居室温度の設定値より高く、かつ吸込温度検出手段により検出される前記天井裏空間から前記空調機への吸込温度が吸込温度の設定値より高い場合は前記空調機の冷房の出力をＯＮ又は増大させ、
前記居室温度が前記居室温度の設定値以下である場合、及び前記居室温度が前記居室温度の設定値より高く、かつ前記吸込温度が前記吸込温度の設定値以下である場合は前記空調機の冷房の出力をＯＦＦ又は減少させるように、
前記空調機の駆動を制御する、
ことを特徴とする放射冷暖房方法。
【発明の詳細な説明】
【技術分野】
【０００１】
本発明は、天井面からの熱放射によって室内空間の冷暖房を行う放射冷暖房システム及び放射冷暖房方法に関する。
【背景技術】
【０００２】
病院内の病室、透析室、診察室や、福祉施設内の居住室、宿泊施設の居住室等のように、気流を嫌う室内やヒトが長時間仰臥位になる室内は、可及的に温湿度環境を快適にすることが求められている。しかしながら、従来の冷暖房システムは、室内に空調空気を噴き出す噴流式のものが主流であるため、室内に顕著な気流が発生し、その気流が人体に直接当たることで不快感を生じる。また、温度による空気の比重差に起因して、冷気は下に暖気は上に移動して鉛直温度分布が発生するので、不快な頭熱足寒の環境となりやすい。そこで近年、天井面から室内空間へ熱を放射することによって、不快な気流や室内鉛直温度分布を発生しにくくした放射冷暖房システムが注目されている。
【０００３】
図６は、この種の放射冷暖房システムの従来技術の一例を示すものである。すなわち図６に示す放射冷暖房システムは、単位面積あたりの熱抵抗が０.０１ｍ２・Ｋ／Ｗ以上０.４ｍ２・Ｋ／Ｗ以下の天井材１０１を用い、この天井材１０１の裏側に上部及び側部が断熱材１０２によって適切に断熱され密閉された天井裏空間１０４を形成して、この天井裏空間１０４に空調機１０３からの冷却空気又は加温空気を供給して、天井材１０１からの熱放射により居室空間１０５の冷暖房を行うものである（下記の特許文献１参照）。
【先行技術文献】
【特許文献】
【０００４】
【特許文献１】特開平５−１４９５８６号公報
【発明の概要】
【発明が解決しようとする課題】
【０００５】
しかしながら、空調機の多くは、吸込口に設けられた温度センサで検出した温度に基づいて運転が制御されるが、このような空調機を図６に示す放射冷暖房システムの空調機１０３として用いた場合、吸込口に設けられた温度センサで検出されるのは天井裏空間１０４からの吸気の温度であるため、居室空間１０５の温度を制御することができない。また、居室空間１０５の温度を検出するセンサからの温度データに基づいて空調機１０３で制御した場合、暖房時には天井裏空間１０４の温度が高温になりやすく、冷房時には低温になりやすい。そのため、空調機１０３の機種によっては、メーカーが定めている室内機の使用可能温度範囲や連続運転可能温度範囲から外れる可能性がある。
【０００６】
また、一般的な対流式空調機は、温度センサによる検出温度が設定温度に達したときに駆動をＯＦＦにし、設定温度に対して検出温度が一定値以上離れたときに駆動をＯＮにするというように、ＯＮ・ＯＦＦを繰り返しながら、常に設定温度に近い温度を保つようになっている。このため、図６のように、狭い天井裏空間１０４に設置した空調機１０３によって、天井材１０１を介して居室空間１０５の温度環境を制御しようとすると、一般的な対流式空調機に比べてＯＮ・ＯＦＦのサイクルの周期が長くなり、居室空間１０５内のヒトの体感温度の変化の幅を大きくしてしまう懸念がある。
【０００７】
本発明は、以上のような点に鑑みてなされたものであって、その技術的課題は、効率良く放射冷暖房を行うことができ、快適性を向上させることの可能な放射冷暖房システム及び放射冷暖房方法を提供することにある。
【課題を解決するための手段】
【０００８】
居室空間の上側に天井材を介して密閉状に画成された天井裏空間に設置された空調機を備え、前記空調機からの空調空気により冷却又は加温された前記天井材からの放射により前記居室空間の冷暖房を行う放射冷暖房システムにおいて、前記居室空間の温度を検出する居室温度検出手段と、前記天井裏空間から前記空調機への吸込温度を検出する吸込温度検出手段と、前記空調機の駆動を制御する制御手段と、を備える。
【０００９】
放射冷暖房システムの制御手段の一態様は、暖房時において、前記居室温度検出手段により検出される居室温度が居室温度の設定値より低く、かつ前記吸込温度検出手段により検出される吸込温度が吸込温度の設定値より低い場合は前記空調機の暖房の出力をＯＮ又は増大させる処理と、前記居室温度が前記居室温度の設定値以上である場合、及び前記居室温度が前記居室温度の設定値より低く、かつ前記吸込温度が前記吸込温度の設定値以上である場合は前記空調機の暖房の出力をＯＦＦ又は減少させる処理と、を有する。
【００１０】
放射冷暖房システムの制御手段の別の一態様は、冷房時において、前記居室温度検出手段により検出される居室温度が居室温度の設定値より高く、かつ前記吸込温度検出手段により検出される吸込温度が吸込温度の設定値より高い場合は前記空調機の冷房の出力をＯＮ又は増大させる処理と、前記居室温度が前記居室温度の設定値以下である場合、及び前記居室温度が前記居室温度の設定値より高く、かつ前記吸込温度が前記吸込温度の設定値以下である場合は前記空調機の冷房の出力をＯＦＦ又は減少させる処理と、を有する。
【００１４】
居室空間の上側に天井材を介して密閉状に画成された天井裏空間に設置された空調機からの空調空気により前記天井材を冷却又は加温して、前記天井材からの放射により前記居室空間の冷暖房を行う放射冷暖房方法において、前記空調機の駆動を制御する。
【００１５】
放射冷暖房方法の一態様は、暖房時において、居室温度検出手段により検出される居室温度が居室温度の設定値より低く、かつ吸込温度検出手段により検出される前記天井裏空間から前記空調機への吸込温度が吸込温度の設定値より低い場合は前記空調機の暖房の出力をＯＮ又は増大させ、前記居室温度が前記居室温度の設定値以上である場合、及び前記居室温度が前記居室温度の設定値より低く、かつ前記吸込温度が前記吸込温度の設定値以上である場合は前記空調機の暖房の出力をＯＦＦ又は減少させるように、前記空調機の駆動を制御する。
【００１６】
放射冷暖房方法の別の一態様は、冷房時において、居室温度検出手段により検出される居室温度が居室温度の設定値より高く、かつ吸込温度検出手段により検出される前記天井裏空間から前記空調機への吸込温度が吸込温度の設定値より高い場合は前記空調機の冷房の出力をＯＮ又は増大させ、前記居室温度が前記居室温度の設定値以下である場合、及び前記居室温度が前記居室温度の設定値より高く、かつ前記吸込温度が前記吸込温度の設定値以下である場合は前記空調機の冷房の出力をＯＦＦ又は減少させるように、前記空調機の駆動を制御する。
【発明の効果】
【００１７】
暖房時に天井裏空間の温度が高温になりやすくなったり冷房時に低温になりやすくなったりすることがなく、したがって、居室空間の温度の変化の幅を小さくして快適性を向上させることができる。
【図面の簡単な説明】
【００１８】
【図１】本発明に係る放射冷暖房システムの好ましい実施の形態の構成を概略的に示す縦断面図である。
【図２】本発明に係る放射冷暖房システムの好ましい実施の形態による暖房運転時の動作を示すフローチャートである。
【図３】暖房運転時における空調機の吸込温度、天井材表面温度、体感温度、居室温度の挙動を、本発明と従来の技術とで比較して示す線図である。
【図４】本発明に係る放射冷暖房システムの好ましい実施の形態による冷房運転時の動作を示すフローチャートである。
【図５】冷房運転時における空調機の吸込温度、天井材表面温度、体感温度、居室温度の挙動を、本発明と従来の技術とで比較して示す線図である。
【図６】従来技術に係る放射冷暖房システムの一例を概略的に示す縦断面図である。
【発明を実施するための形態】
【００１９】
以下、本発明に係る放射冷暖房システムの好ましい実施の形態について、図面を参照しながら説明する。
【００２０】
図１において、参照符号１は鉄骨・鉄筋コンクリート造の建築物の躯体であって、１１は躯体スラブ、１２は躯体側壁である。躯体スラブ１１の下側には吊りボルトや格子状に組まれた天井下地材（不図示）などを介して天井材２が取り付けられており、この天井材２によって、上下の躯体スラブ１１，１１間に居室空間Ｓ１と密閉状の天井裏空間Ｓ２が画成されている。また、この天井裏空間Ｓ２を取り囲む躯体スラブ１１の下面及び躯体側壁１２の内側面は、断熱材１３で覆われている。
【００２１】
天井材２は、水蒸気の通過を許容する透湿性及び水蒸気を吸収する吸湿性に優れた多孔質材料からなるものであって、例えば石膏ボードからなるものが好適に用いられる。
【００２２】
参照符号３は空調機で、不図示の室外機との間で流体を液相−気相の可逆変化を伴いながら循環させることにより熱の搬送を行い、これによって、天井裏空間Ｓ２から取り込んだ空気を前記流体が液相から気相へ相変化する際の潜熱吸収作用により冷却して噴き出し、あるいは前記流体が気相から液相へ相変化する際の潜熱放出作用により加温して噴き出し、これによって天井裏空間Ｓ２を冷房又は暖房するものである。また、この空調機３からは空調空気（冷房空気又は暖房空気）を吐出する複数のダクト３１が分岐して延びており、各ダクト３１の噴き出し口３１ａは下向きに開口し、すなわち天井材２の上面（裏面）と対向した状態で開口している。また好ましくは、ダクト３１の噴き出し口３１ａは、居室空間Ｓ１における例えば人体による熱負荷が大きいエリアの真上に位置するように開口される。
【００２３】
参照符号４は、居室空間Ｓ１の空気の温度（以下、居室温度という）を検出する居室温度センサであって、居室温度検出手段に相当するものであり、例えば空調機３を遠隔操作するための不図示のリモコン装置などに内蔵される。
【００２４】
参照符号５は、天井裏空間Ｓ２から空調機３へ吸込まれる空気の温度（以下、吸込温度という）を検出する吸込温度センサであって、吸込温度検出手段に相当するものであり、例えば空調機３における不図示の吸込口に取り付けられている。
【００２５】
参照符号６は、居室温度センサ４により検出される居室温度のデータ及び吸込温度センサ５により検出される吸込温度のデータを取り込んで空調機３の駆動を制御するコントローラであって、制御手段に相当するものであり、空調機３に内蔵されている。そしてこのコントローラ６は、制御プログラムや設定値を保存するメモリ６１と、不図示のリモコン装置によって設定値を変更可能とする入力部６２を備えている。なお、暖房時の空調機３の吸込設定温度は、例えば２５〜３５℃程度、居室設定温度は、例えば２０〜２８℃程度で変更可能とされ、冷房時の空調機３の吸込設定温度は、例えば１５〜２０℃程度、居室設定温度は、例えば２０〜２８℃程度で変更可能とされる。
【００２６】
以上のように構成された実施の形態の放射冷暖房システムによれば、冬季の暖房においては、例えば居室空間Ｓ１の在室者が不図示のリモコン装置によって空調機３を暖房運転させると、天井裏空間Ｓ２の空気が空調機３へ取り込まれて加温され、その加温空気がダクト３１を介して天井裏空間Ｓ２へ噴き出されるので、これによって天井裏空間Ｓ２内が暖房される。そして、天井裏空間Ｓ２を取り囲む躯体スラブ１１の下面及び躯体側壁１２の内側面は、断熱材１３で覆われているため、天井裏空間Ｓ２の空気の加温が効率良く行われる。
【００２７】
ここで、ダクト３１の噴き出し口３１ａから噴き出された加温空気は、周りの空気に比較して比重が小さいために浮力を受けて上昇しようとするが、噴き出し口３１ａは下向きに開口されているため、天井材２の上面に強制的に噴き付けられる。このため、天井裏空間Ｓ２の上層部と上階側の躯体スラブ１１との間での対流熱伝達率よりも天井裏空間Ｓ２の下層部と天井材２との間での対流熱伝達率が大きくなって、この天井材２との熱交換が効率良く行われるので、上階への放熱ロスが抑制されると共に、天井材２から居室空間Ｓ１への放射暖房が効率良く行われ、居室空間Ｓ１の放射暖房の立ち上がりの応答性が早いものとなる。
【００２８】
図２は暖房運転時におけるコントローラ６の制御動作を示すものである。すなわち暖房運転においては、まず空調機３の暖房運転がＯＮになると（処理ステップＳ１０１）、居室温度センサ４により検出される居室温度が、予め入力部６２を介して設定された居室温度の設定値（以下、居室設定温度という）より低いかを判断し（処理ステップＳ１０２）、居室温度が居室設定温度より低いと判断された場合は（処理ステップＳ１０２＝ＹＥＳ）、さらに、吸込温度センサ５により検出される吸込温度が、予め入力部６２を介して設定された吸込温度の設定値（以下、吸込設定温度という）より低いかを判断し（処理ステップＳ１０３）、吸込温度が吸込設定温度より低いと判断された場合は（処理ステップＳ１０３＝ＹＥＳ）、処理はステップＳ１０１へリターンして空調機３の暖房運転が継続される。このため、暖房運転によって、吸込設定温度に対する吸込温度の差及び居室設定温度に対する居室温度の差が次第に縮小される。
【００２９】
一方、処理ステップＳ１０２において居室温度が居室設定温度まで上昇したと判断された場合（処理ステップＳ１０２＝ＮＯ）、及び処理ステップＳ１０３において吸込温度が吸込設定温度まで上昇したと判断された場合は（処理ステップＳ１０３＝ＮＯ）、空調機３の暖房運転をＯＦＦとする制御を行う（ステップＳ１０４）。
【００３０】
そして次の処理ステップＳ１０５では、居室温度センサ４により検出される居室温度が居室設定温度より低く、かつ吸込温度センサ５により検出される吸込温度が吸込設定温度より低いかを判断し、居室温度及び吸込温度の双方がそれぞれの設定温度より低くなったと判断された場合は（処理ステップＳ１０５＝ＹＥＳ）、処理はステップＳ１０１へリターンして空調機３の暖房運転が再開され、居室温度及び吸込温度の少なくとも一方が設定温度の範囲にあると判断された場合は（処理ステップＳ１０５＝ＮＯ）、処理はステップＳ１０４へリターンして空調機３の停止状態が維持される。
【００３１】
図３は、暖房運転時における空調機の吸込温度、天井材表面温度、体感温度、居室温度の挙動を、本発明と従来の技術とで比較して示すものである。すなわち、従来のように、天井裏空間に設置した空調機の暖房運転を、居室温度のみに基づいて制御した場合、図３（Ａ）に示すように、吸込温度（天井裏空間の温度）が高温になりやすく、しかも、狭い天井裏空間に設置した空調機によって、天井材を介して居室空間の温度環境を制御しようとすると、空調機のＯＮ・ＯＦＦの周期が長くなってしまい、居室空間内のヒトの体感温度の変化の幅も比較的大きなものとなる。これに対し、本発明のシステムは、居室温度と吸込温度から、ａｎｄ条件で空調機３の暖房運転を制御するものであるため、図３（Ｂ）に示すように、空調機３のＯＮ・ＯＦＦの周期が短くなり、空調機３が極端に高温の空間に曝されることがなく、このため空調機メーカーから指定される使用可能温度範囲や連続運転可能範囲から外れてしまうのを防止することができる。しかも体感温度の変化の幅が小さくなって快適性を向上させることができる。
【００３２】
次に、夏季の冷房においては、例えば居室空間Ｓ１の在室者が不図示のリモコン装置によって空調機３を冷房運転させると、天井裏空間Ｓ２の空気が空調機３へ取り込まれて冷却され、その冷却空気がダクト３１を介して天井裏空間Ｓ２へ噴き出され、これによって天井裏空間Ｓ２内が冷房される。そして、天井裏空間Ｓ２を取り囲む躯体スラブ１１の下面及び躯体側壁１２の内側面は、断熱材１３で覆われているため、天井裏空間Ｓ２の空気の冷却が効率良く行われる。
【００３３】
そして下向きに開口されたダクト３１の噴き出し口３１ａから噴き出された冷却空気が天井材２と接触することによって、この天井材２との熱交換が行われ、すなわち天井材２が冷却されるので、天井材２から居室空間Ｓ１への放射冷房が行われる。言い換えれば、居室空間Ｓ１の顕熱が天井材２から天井裏空間Ｓ２を介して空調機３に取り込まれ、そのヒートポンプ機能により躯体１の外部へ放出される。そして上述のように、天井裏空間Ｓ２を取り囲む躯体スラブ１１の下面及び躯体側壁１２の内側面が断熱材１３で覆われていることによって天井裏空間Ｓ２の空気の冷却が効率良く行われるので、居室空間Ｓ１の放射冷房の立ち上がりの応答性が早いものとなる。
【００３４】
一方、居室空間Ｓ１内の空気が有する潜熱は、空気中の水蒸気と共に、透湿性に優れた多孔質の天井材２を通過して天井裏空間Ｓ２へ浸入し、その一部は天井材２にも吸収される。そして、天井材２から天井裏空間Ｓ２内へ放湿された水蒸気は空調機３に取り込まれ、凝縮されてドレン水となって躯体１の外部へ排出される。またこのため、天井裏空間Ｓ２は相対湿度が低いものとなるので、居室空間Ｓ１から天井材２を介しての水蒸気の取り込みが効率良く行われる。そしてこのような作用によって、居室空間Ｓ１内の顕熱負荷及び潜熱負荷が処理される。
【００３５】
図４は冷房運転時におけるコントローラ６の制御動作を示すものである。すなわち冷房運転においては、まず空調機３の冷房運転がＯＮになると（処理ステップＳ２０１）、居室温度センサ４により検出される居室空間Ｓ１の温度が、予め入力部６２を介して設定された居室設定温度より高いかを判断し（処理ステップＳ２０２）、居室温度が設定温度より高いと判断された場合は（処理ステップＳ２０２＝ＹＥＳ）、さらに、吸込温度センサ５により検出される空調機３の吸込温度が、予め入力部６２を介して設定された吸込温度の設定温度より高いかを判断し（処理ステップＳ２０３）、吸込温度が設定温度より高いと判断された場合は（処理ステップＳ２０３＝ＹＥＳ）、処理はステップＳ２０１へリターンして空調機３の冷房運転が継続される。このため、冷房運転によって、吸込設定温度に対する吸込温度の差及び居室設定温度に対する居室温度の差が次第に縮小される。
【００３６】
一方、処理ステップＳ２０２において居室温度が設定温度まで降下したと判断された場合（処理ステップＳ２０２＝ＮＯ）、及び処理ステップＳ２０３において吸込温度が設定温度まで降下したと判断された場合は（処理ステップＳ２０３＝ＮＯ）、空調機３の冷房運転をＯＦＦとする制御を行う（ステップＳ２０４）。
【００３７】
そして次の処理ステップＳ２０５では、居室温度センサ４により検出される居室空間Ｓ１の温度が、予め入力部６２を介して設定された居室設定温度より高く、かつ吸込温度センサ５により検出される空調機３の吸込温度が、予め入力部６２を介して設定された吸込温度の設定温度より高いかを判断し、居室温度及び吸込温度の双方がそれぞれの設定温度より高くなったと判断された場合は（処理ステップＳ２０５＝ＹＥＳ）、処理はステップＳ２０１へリターンして空調機３の冷房運転が再開され、居室温度及び吸込温度の少なくとも一方が設定温度の範囲にあると判断された場合は（処理ステップＳ２０５＝ＮＯ）、処理はステップＳ２０４へリターンして空調機３の停止状態が維持される。
【００３８】
図５は、冷房運転時における空調機の吸込温度、天井材表面温度、体感温度、居室温度の挙動を、本発明と従来の技術とで比較して示すものである。すなわち、従来のように、天井裏空間に設置した空調機の冷房運転を、居室温度のみに基づいて制御した場合、図５（Ａ）に示すように、吸込温度（天井裏空間の温度）が低温になりやすく、しかも、狭い天井裏空間に設置した空調機によって、天井材を介して居室空間の温度環境を制御しようとすると、空調機のＯＮ・ＯＦＦの周期が長くなってしまい、居室空間内のヒトの体感温度の変化の幅も比較的大きなものとなる。これに対し、本発明のシステムは、居室温度と吸込温度から、ａｎｄ条件で空調機３の冷房運転を制御するものであるため、図５（Ｂ）に示すように、空調機３のＯＮ・ＯＦＦの周期が短くなり、空調機３が極端に低温の空間に曝されることがなく、このため空調機メーカーから指定される使用可能温度範囲や連続運転可能範囲から外れてしまうのを防止することができる。しかも体感温度の変化の幅が小さくなって快適性を向上させることができる。
【００３９】
なお、天井裏空間Ｓ２には、ダクト式の空調機３のほかに、熱源（室外機）をこのダクト式の空調機３と共有し、居室空間Ｓ１へ空調空気を供給する不図示の対流式空調機を併設し、放射冷暖房の開始に際して、居室温度が設定温度に対して著しく差がある場合に、運転初期のみダクト式の空調機３と対流式空調機の双方を駆動させるようにしてもよい。
【００４０】
また、上述の実施の形態では、コントローラ６は空調機３をＯＮ・ＯＦＦ制御するものとして説明したが、空調機３の出力の増減を制御することによって、設定値に対する温度検出値の差を縮小するようにしても良い。
【００４１】
また、上述の実施の形態では、空調機３は不図示の室外機との間において、熱源をヒートポンプとして説明したが、当該熱源はヒートポンプに限定されるものではなく、他の熱源を利用することができる。例えば、温熱源をボイラーとし、冷熱源を吸収式冷凍機やターボ冷凍機などとすることができる。さらには、これら熱源を用いたファンコイルユニットを空調機３として用いることができる。
【符号の説明】
【００４２】
１  躯体
２  天井材
３  空調機
３１  ダクト
４  居室温度センサ（居室温度検出手段）
５  吸込温度センサ（吸込温度検出手段）
６  コントローラ（制御手段）
Ｓ１  居室空間
Ｓ２  天井裏空間
【図１】
0006708432.tif 000002
【図２】
0006708432.tif 000003
【図３】
0006708432.tif 000004
【図４】
0006708432.tif 000005
【図５】
0006708432.tif 000006
【図６】
0006708432.tif 000007